(57)【要約】【課題】有料自動車道の利用者に対して利用状況に応じた適正な通行料金を課す。【解決手段】周遊券マスタデータベース１１において有料自動車道の周遊券の適用区間、周遊券料金を関連付ける周遊券ＩＤを含む申請情報をＥＴＣカード番号と共に受付け、申請情報データベース１２に登録する。料金所サーバ３からＥＴＣ車両の通行区間、通行料金を含む利用情報をＥＴＣカード番号と共に取得し、申請情報データベース１２を参照して通行区間が周遊券の適用区間か否かを判定し、この判定結果を表す利用情報判定フラグと利用情報を含む利用明細情報をＥＴＣカード番号に関連付けて利用明細情報データベース１３に登録する。利用明細情報の利用情報判定フラグが適用区間の通行を示す場合に、通行区間について通行料金に基づく通行料金合計額と周遊券料金に基づく通行料金合計額をそれぞれ計算し、低額な方を課金金額とする。【選択図】図１
2010257119.tif 000002
【特許請求の範囲】
【請求項１】
ＥＴＣカードを車載器に格納するＥＴＣ車両が有料自動車道を通行する際に利用する周遊券の適用区間、適用期間および周遊券料金を周遊券ＩＤに関連付けて格納する周遊券マスタデータベースと、
この周遊券マスタデータベースに格納された前記周遊券ＩＤを含む前記周遊券の申請情報をＥＴＣカード番号と共に受付ける申請情報受付部と、
前記受付けた申請情報を前記ＥＴＣカード番号に関連付けて格納する申請情報データベースと、
前記有料自動車道に設けられた料金所サーバから前記有料自動車道における前記ＥＴＣ車両の通行区間、通行日時、前記通行区間に係る通行料金を含む利用情報を前記ＥＴＣカード番号と共に取得する利用情報取得部と、
前記取得された利用情報に含まれる前記ＥＴＣカード番号に基づいて前記申請情報データベースを参照し、前記通行区間が前記周遊券の前記適用区間に該当するか否かを判定し、この判定結果に基づいて利用情報判定フラグを作成する利用情報判定部と、
前記作成された利用情報判定フラグおよび前記利用情報を含む利用明細情報を前記ＥＴＣカード番号に関連付けて格納する利用明細情報データベースと、
この利用明細情報データベースに前記利用明細情報を登録する利用明細情報登録部と、
前記利用明細情報データベースから前記利用明細情報を前記ＥＴＣカード番号毎に所定の周期で取得し、前記利用情報判定フラグが前記適用区間への該当を示す場合に、前記通行区間について前記通行料金に基づく第１の通行料金合計額および前記周遊券マスタデータベースから取得される前記周遊券料金を適用した第２の通行料金合計額をそれぞれ計算すると共に、前記第１および前記第２の通行料金合計額を比較し、低額な方の通行料金合計額を前記ＥＴＣカードに対する課金対象とする課金処理部と、
を備えることを特徴とする通行料金計算システム。
【請求項２】
前記ＥＴＣカード番号と共に、現時点における前記有料自動車道の利用状況の表示要求を受付ける利用状況表示要求受付部と、
前記受付けたＥＴＣカード番号に基づいて前記利用明細情報データベースから前記現時点における前記利用明細情報を取得し、前記通行区間について前記通行料金に基づく第３の通行料金合計額および前記周遊券マスタデータベースから取得される前記周遊券料金を適用した第４の通行料金合計額をそれぞれ計算すると共に、前記現時点における前記第３および前記第４の通行料金合計額を比較し、低額な方の通行料金合計額を前記ＥＴＣカードに対する前記現時点における課金対象とする第２の課金処理部と、
前記現時点における課金対象に基づいて利用状況参照画面を作成し、表示する利用状況参照画面表示部と、
を更に備えることを特徴とする請求項１記載の通行料金計算システム。
【請求項３】
ＥＴＣカードを車載器に格納するＥＴＣ車両が有料自動車道を通行する際に利用する定期券の適用区間、適用期間および定期券料金を含む前記定期券の申請情報をＥＴＣカード番号と共に受付ける申請情報受付部と、
前記受付けた申請情報を前記ＥＴＣカード番号に関連付けて格納する申請情報データベースと、
前記有料自動車道に設けられた料金所サーバから前記有料自動車道における前記ＥＴＣ車両の通行区間、通行日時、前記通行区間に係る通行料金を含む利用情報を前記ＥＴＣカード番号と共に取得する利用情報取得部と、
前記取得された利用情報に含まれる前記ＥＴＣカード番号に基づいて前記申請情報データベースを参照し、前記通行区間が前記定期券の前記適用区間に該当するか否かを判定し、この判定結果に基づいて利用情報判定フラグを作成する利用情報判定部と、
前記作成された利用情報判定フラグおよび前記利用情報を含む利用明細情報を前記ＥＴＣカード番号に関連付けて格納する利用明細情報データベースと、
この利用明細情報データベースに前記利用明細情報を登録する利用明細情報登録部と、
前記利用明細情報データベースから前記利用明細情報を前記ＥＴＣカード番号毎に所定の周期で取得し、前記利用情報判定フラグが前記適用区間への該当を示す場合に、前記通行区間について前記通行料金に基づく第１の通行料金合計額および前記定期券料金を適用した第２の通行料金合計額をそれぞれ計算すると共に、前記第１および第２の通行料金合計額を比較し、低額な方の料金を前記ＥＴＣカードに対する課金対象とする課金処理部と、
を備えることを特徴とする通行料金計算システム。
【請求項４】
ＥＴＣカードを車載器に格納するＥＴＣ車両が有料自動車道を通行する際に利用できる周遊券の適用区間、適用期間、周遊券料金を周遊券ＩＤに関連付けて格納する周遊券マスタデータベースを参照し、前記周遊券の中から指定された前記周遊券ＩＤを含む申請情報をＥＴＣカード番号と共に受付ける申請情報受付ステップと、
前記受付けた申請情報を前記ＥＴＣカード番号に関連付けて申請情報データベースに登録する申請情報登録ステップと、
前記有料自動車道に設けられた料金所サーバから前記ＥＴＣ車両の前記有料自動車道における通行区間、通行日時、前記通行区間に係る通行料金を含む利用情報を前記ＥＴＣカード番号と共に取得する利用情報取得ステップと、
前記取得された利用情報に含まれる前記ＥＴＣカード番号に基づいて前記申請情報データベースを参照し、前記通行区間が前記周遊券の前記適用区間に該当するか否かを判定し、この判定結果に基づいて利用情報判定フラグを作成する利用情報判定ステップと、
前記作成された利用情報判定フラグおよび前記利用情報を含む利用明細情報を前記ＥＴＣカード番号に関連付けて利用明細情報データベースに登録する利用明細情報登録ステップと、
前記利用明細情報データベースから前記利用明細情報を前記ＥＴＣカード番号毎に所定の周期で取得し、前記利用情報判定フラグが前記適用区間への該当を示す場合に、前記通行区間について前記通行料金に基づく第１の通行料金合計額および前記周遊券マスタデータベースから取得される前記周遊券料金を適用した第２の通行料金合計額をそれぞれ計算する通行料金計算ステップと、
前記第１および前記第２の通行料金合計額を比較し、低額な方の通行料金合計額を前記ＥＴＣカードに対する課金対象とする課金処理ステップと、
を有することを特徴とする通行料金計算方法。
【請求項５】
現時点における前記有料自動車道の利用状況の表示要求を前記ＥＴＣカード番号と共に受付ける利用状況表示要求受付ステップと、
前記受付けたＥＴＣカード番号に基づいて前記利用明細情報データベースから前記現時点における前記利用明細情報を取得し、前記通行区間について前記通行料金に基づく第３の通行料金合計額および前記周遊券マスタデータベースから取得される前記周遊券料金を適用した第４の通行料金合計額をそれぞれ計算する第２の通行料金計算ステップと、
前記現時点における前記第３および前記第４の通行料金合計額を比較し、低額な方の通行料金合計額を前記ＥＴＣカードに対する前記現時点における課金対象とする第２の課金処理ステップと、
前記現時点における課金対象に基づいて利用状況参照画面を作成し、表示する利用状況参照画面表示ステップと、
を更に有することを特徴とする請求項４記載の通行料金計算方法。
【発明の詳細な説明】
【技術分野】
【０００１】
本発明は、有料自動車道における通行料金を計算する通行料金計算システムおよび通行料金計算方法に関する。
【背景技術】
【０００２】
現在、有料自動車道における料金収受の迅速化や渋滞の緩和を図るためにインターチェンジや料金所においてＥＴＣシステムの導入が進められている。ＥＴＣ車載器を搭載した車両がＥＴＣゲートを通過する際には、ＥＴＣ車載器とＥＴＣゲートに備えられた車線装置との間で無線通信が行われ、ＥＴＣ車載器に格納されているＥＴＣカードに記憶された個人情報との認証処理が行われる。そして、認証処理が正常に行われた場合には、ＥＴＣゲートを開放して車両の通行を許可すると共に、料金所サーバに接続された課金システムへ有料自動車道の利用情報が送信され、通行料金が計算される。
【０００３】
また、有料自動車道の提供会社は、上記のようなＥＴＣシステムの通信技術に着目して、ＥＴＣ利用者に対して所定の区間、所定の期間の周遊を一定料金で認めるＥＴＣ周遊プランなどの割引サービスの提供を開始している（例えば、特許文献１参照）。
【先行技術文献】
【特許文献】
【０００４】
【特許文献１】特開２００２−２４８８０号公報
【発明の概要】
【発明が解決しようとする課題】
【０００５】
しかしながら、上記のようなシステムでは、予め電話またはインターネットで周遊券または定期券（以下、「周遊券・定期券」と表す。）の申請を行い、申請された情報を料金所に配信することで所定の期間、所定の区間の利用であることを判定する構成であるため、申請された個人情報を料金所まで配信する必要がある。また、このシステムでは周遊券・定期券区間の最初の料金所で課金処理が行われるため、例えば、周遊券・定期券の申請をしても、周遊券・定期券区間を利用した回数が少なかった場合には通行料金で課金されるよりも合計金額が高くなってしまうという問題があった。
【０００６】
そこで、本発明は、上記従来技術の問題に鑑み、周遊券・定期券を申請済みの有料自動車道の利用者に対して利用状況に応じた適正な通行料金を課す通行料金計算システムおよび通行料金計算方法を提供することを目的とする。
【課題を解決するための手段】
【０００７】
本発明に係る通行料金計算システムは、ＥＴＣカードを車載器に格納するＥＴＣ車両が有料自動車道を通行する際に利用する周遊券の適用区間、適用期間および周遊券料金を周遊券ＩＤに関連付けて格納する周遊券マスタデータベースと、この周遊券マスタデータベースに格納された前記周遊券ＩＤを含む前記周遊券の申請情報をＥＴＣカード番号と共に受付ける申請情報受付部と、前記受付けた申請情報を前記ＥＴＣカード番号に関連付けて格納する申請情報データベースと、前記有料自動車道に設けられた料金所サーバから前記有料自動車道における前記ＥＴＣ車両の通行区間、通行日時、前記通行区間に係る通行料金を含む利用情報を前記ＥＴＣカード番号と共に取得する利用情報取得部と、前記取得された利用情報に含まれる前記ＥＴＣカード番号に基づいて前記申請情報データベースを参照し、前記通行区間が前記周遊券の前記適用区間に該当するか否かを判定し、この判定結果に基づいて利用情報判定フラグを作成する利用情報判定部と、前記作成された利用情報判定フラグおよび前記利用情報を含む利用明細情報を前記ＥＴＣカード番号に関連付けて格納する利用明細情報データベースと、この利用明細情報データベースに前記利用明細情報を登録する利用明細情報登録部と、前記利用明細情報データベースから前記利用明細情報を前記ＥＴＣカード番号毎に所定の周期で取得し、前記利用情報判定フラグが前記適用区間への該当を示す場合に、前記通行区間について前記通行料金に基づく第１の通行料金合計額および前記周遊券マスタデータベースから取得される前記周遊券料金を適用した第２の通行料金合計額をそれぞれ計算すると共に、前記第１および前記第２の通行料金合計額を比較し、低額な方の通行料金合計額を前記ＥＴＣカードに対する課金対象とする課金処理部と、を備えることを特徴とする。
【０００８】
本発明に係る通行料金計算システムは、ＥＴＣカードを車載器に格納するＥＴＣ車両が有料自動車道を通行する際に利用する定期券の適用区間、適用期間および定期券料金を含む前記定期券の申請情報をＥＴＣカード番号と共に受付ける申請情報受付部と、前記受付けた申請情報を前記ＥＴＣカード番号に関連付けて格納する申請情報データベースと、前記有料自動車道に設けられた料金所サーバから前記有料自動車道における前記ＥＴＣ車両の通行区間、通行日時、前記通行区間に係る通行料金を含む利用情報を前記ＥＴＣカード番号と共に取得する利用情報取得部と、前記取得された利用情報に含まれる前記ＥＴＣカード番号に基づいて前記申請情報データベースを参照し、前記通行区間が前記定期券の前記適用区間に該当するか否かを判定し、この判定結果に基づいて利用情報判定フラグを作成する利用情報判定部と、前記作成された利用情報判定フラグおよび前記利用情報を含む利用明細情報を前記ＥＴＣカード番号に関連付けて格納する利用明細情報データベースと、この利用明細情報データベースに前記利用明細情報を登録する利用明細情報登録部と、前記利用明細情報データベースから前記利用明細情報を前記ＥＴＣカード番号毎に所定の周期で取得し、前記利用情報判定フラグが前記適用区間への該当を示す場合に、前記通行区間について前記通行料金に基づく第１の通行料金合計額および前記定期券料金を適用した第２の通行料金合計額をそれぞれ計算すると共に、前記第１および第２の通行料金合計額を比較し、低額な方の料金を前記ＥＴＣカードに対する課金対象とする課金処理部と、を備えることを特徴とする。
【０００９】
本発明に係る通行料金計算方法は、ＥＴＣカードを車載器に格納するＥＴＣ車両が有料自動車道を通行する際に利用できる周遊券の適用区間、適用期間、周遊券料金を周遊券ＩＤに関連付けて格納する周遊券マスタデータベースを参照し、前記周遊券の中から指定された前記周遊券ＩＤを含む申請情報をＥＴＣカード番号と共に受付ける申請情報受付ステップと、前記受付けた申請情報を前記ＥＴＣカード番号に関連付けて申請情報データベースに登録する申請情報登録ステップと、前記有料自動車道に設けられた料金所サーバから前記ＥＴＣ車両の前記有料自動車道における通行区間、通行日時、前記通行区間に係る通行料金を含む利用情報を前記ＥＴＣカード番号と共に取得する利用情報取得ステップと、前記取得された利用情報に含まれる前記ＥＴＣカード番号に基づいて前記申請情報データベースを参照し、前記通行区間が前記周遊券の前記適用区間に該当するか否かを判定し、この判定結果に基づいて利用情報判定フラグを作成する利用情報判定ステップと、前記作成された利用情報判定フラグおよび前記利用情報を含む利用明細情報を前記ＥＴＣカード番号に関連付けて利用明細情報データベースに登録する利用明細情報登録ステップと、前記利用明細情報データベースから前記利用明細情報を前記ＥＴＣカード番号毎に所定の周期で取得し、前記利用情報判定フラグが前記適用区間への該当を示す場合に、前記通行区間について前記通行料金に基づく第１の通行料金合計額および前記周遊券マスタデータベースから取得される前記周遊券料金を適用した第２の通行料金合計額をそれぞれ計算する通行料金計算ステップと、前記第１および前記第２の通行料金合計額を比較し、低額な方の通行料金合計額を前記ＥＴＣカードに対する課金対象とする課金処理ステップと、を有することを特徴とする。
【発明の効果】
【００１０】
本発明によれば、周遊券・定期券を申請済みの有料自動車道の利用者に対して利用状況に応じた適正な通行料金を課す通行料金計算システムおよび通行料金計算方法が提供される。
【図面の簡単な説明】
【００１１】
【図１】本発明の一実施形態に係る通行料金計算システムの全体構成例を示すブロック図。
【図２】図１に示す申請受付装置および課金処理装置に適用されるコンピュータのハードウェア構成例を示す図。
【図３】図１に示す周遊券マスタデータベースの記憶内容の具体例を示す図。
【図４】図１に示す申請情報データベースの記憶内容の具体例を示す図。
【図５】図１に示す利用明細情報データベースの記憶内容の具体例を示す図。
【図６】図１に示す申請受付装置における周遊券・定期券の申請受付処理の具体例を示すフローチャート。
【図７】図１に示す申請情報受付部がクライアント端末に出力する周遊券・定期券申請受付画面の具体例を示す図。
【図８】図１に示す課金処理装置における利用明細情報の登録処理の具体例を示すフローチャート。
【図９】有料自動車道の利用区間と通行料金の関係を説明する図。
【図１０】図１に示す利用情報取得部において取得される利用情報の具体例を示す図。
【図１１】図１に示す課金処理装置における利用状況参照画面の表示処理の具体例を示すフローチャート。
【図１２】利用状況参照画面の具体例を示す図。
【図１３】図１に示す課金処理装置における課金処理の具体例を示すフローチャート。
【発明を実施するための形態】
【００１２】
以下、本発明の実施形態について図面を用いて詳細に説明する。図１は、本発明の一実施形態に係る通行料金計算システム１の全体構成例を示すブロック図である。同図に示されるように、通行料金計算システム１は、有料自動車道の利用予定者が周遊券・定期券の申請並びに所望の時点での利用状況の参照を行うクライアント端末２、有料自動車道の各所に設けられた料金所サーバ３、有料自動車道の利用者に対して通行料金計算システム１で計算された通行料金を請求するクレジットカード会社の請求処理システム４にネットワーク（図示省略する）を介してそれぞれ接続されたコンピュータシステムであり、周遊券マスタデータベース１１、申請情報データベース１２、利用明細情報データベース１３、申請受付装置１４および課金処理装置１５から構成されている。
【００１３】
図２は、図１に示す申請受付装置１４および課金処理装置１５に適用されるコンピュータのハードウェア構成例を示す図である。同図に示すように、申請受付装置１４等に適用されるコンピュータは、ＣＰＵ（Central Processing Unit）５１、ＲＯＭ（Read Only Memory）５２、ＲＡＭ（Random Access Memory）５３、入出力インターフェース５４、システムバス５５、入力装置５６、表示装置５７、補助記憶装置５８、および通信装置５９から構成される。
【００１４】
ＣＰＵ５１は、ＲＯＭ５２やＲＡＭ５３に格納されたプログラムやデータなどを用いて各種の演算処理を実行する処理装置である。ＲＯＭ５２は、コンピュータを機能させるための基本プログラムや環境ファイルなどを記憶する読み取り専用の記憶装置である。ＲＡＭ５３は、ＣＰＵ５１が実行するプログラムおよび各プログラムの実行に必要なデータを記憶する記憶装置であり、高速な読み出しと書き込みが可能である。入出力インターフェース５４は、各種のハードウェアとシステムバス５５との接続を仲介する装置およびプログラムである。システムバス５５は、ＣＰＵ５１、ＲＯＭ５２、ＲＡＭ５３、および入出力インターフェース５４で共有される情報伝達路である。
【００１５】
また、入出力インターフェース５４には、入力装置５６、表示装置５７、補助記憶装置５８、および通信装置５９などのハードウェアが接続されている。入力装置５６は、ユーザからの入力を処理する装置であり、例えばキーボードやマウスなどである。表示装置５７は、ユーザに対して演算結果や作成画面などを表示する装置であり、例えばＣＲＴ、液晶ディスプレイ、プラズマディスプレイなどである。補助記憶装置５８は、プログラムやデータを蓄積する大容量の記憶装置であり、例えばハードディスク装置などである。
【００１６】
周遊券マスタデータベース１１は、ＥＴＣカードを車載器に格納するＥＴＣ車両が有料自動車道を通行する際に利用する周遊券の適用区間、適用期間および周遊券料金を周遊券ＩＤに関連付けて格納するデータベースである。図３は、図１に示す周遊券マスタデータベース１１の記憶内容の具体例を示す図である。ここでは、周遊券を一意に特定する周遊券ＩＤ、周遊券の適用開始日および終了日、周遊券料金、周遊券が有効な区間（区間内のＩＣの識別名）が項目として挙げられている。
【００１７】
申請情報データベース１２は、申請受付装置１４において受付けた申請情報をＥＴＣカード番号に関連付けて申請情報データベース１２に登録するデータベースである。図４は、図１に示す申請情報データベース１２の記憶内容の具体例を示す図である。ここでは、申請受付を一意に特定する申請Ｎｏ、申請種別（０：周遊券／１：定期券）、周遊券ＩＤ、申請者の車載器管理番号、車載器に登録された車両番号、申請者のＥＴＣカード番号、ＥＴＣカードの有効期限、申請日付、定期券申請期間（３ヶ月／６ヶ月等）、定期券の申請区間（入口ＩＣおよび出口ＩＣ）、申請された周遊券・定期券の料金が項目として挙げられている。
【００１８】
利用明細情報データベース１３は、課金処理装置１５において作成された利用情報判定フラグおよび料金所サーバ３から取得された利用情報を含む利用明細情報をＥＴＣカード番号に関連付けて格納するデータベースである。図５は、図１に示す利用明細情報データベース１３の記憶内容の具体例を示す図である。ここでは、ＥＴＣを利用した利用年月日、ＥＴＣカード番号、出入口のＩＣを通過した日時、出入口のＩＣ番号、通行料金、車両番号、車載器管理番号、利用情報判定フラグ（１：周遊券に該当／２：定期券に該当／０：いずれにも該当せず）が項目として挙げられている。
【００１９】
申請受付装置１４は、申請情報受付部１４１および申請情報登録部１４２を機能として備え、ＥＴＣカードを保有するユーザから周遊券・定期券の申請を受付けるコンピュータである。
【００２０】
申請情報受付部１４１は、クライアント端末２に周遊券・定期券申請受付画面を表示させると共に、この画面から入力された申請情報（周遊券マスタデータベース１１に格納された周遊券ＩＤを含む周遊券申請情報並びに定期券の区間情報を含む定期券申請情報）をＥＴＣカード番号と共に受付けるプログラムである。尚、申請時に入力される他の情報の具体例としては、車両番号、車種（普通車、大型車等）、ＥＴＣ車載器管理番号、ＥＴＣカード番号、カード有効期限などが挙げられる。
【００２１】
申請情報登録部１４２は、申請情報受付部１４１において受付けた申請情報をＥＴＣカード番号に関連付けて申請情報データベース１２に登録するプログラムである。
【００２２】
また、課金処理装置１５は、利用情報取得部１５１、利用情報判定部１５２、利用明細情報登録部１５３、課金処理部１５４、利用状況表示要求受付部１５５および利用状況参照画面表示部１５６を機能として備え、ＥＴＣカード番号毎に所定期間内における課金金額を計算するコンピュータである。
【００２３】
利用情報取得部１５１は、有料自動車道に設けられた料金所サーバ３から有料自動車道におけるＥＴＣ車両の通行区間、通行日時、通行区間に係る通行料金を含む利用情報をＥＴＣカード番号と共に取得するプログラムである。
【００２４】
利用情報判定部１５２は、取得された利用情報に含まれるＥＴＣカード番号に基づいて申請情報データベース１２を参照し、通行区間が周遊券の適用区間に該当するか否かを判定し、この判定結果に基づいて利用情報判定フラグを作成するプログラムである。
【００２５】
利用明細情報登録部１５３は、利用情報判定部１５２において作成された利用情報判定フラグおよび料金所サーバ３から取得された利用情報を含む利用明細情報をＥＴＣカード番号に関連付けて利用明細情報データベース１３に登録するプログラムである。
【００２６】
課金処理部１５４は、利用明細情報データベース１３から利用明細情報をＥＴＣカード番号毎に所定の周期で取得し、利用情報判定フラグが周遊券の適用区間への該当を示す場合には、通行区間について通行料金に基づく通行料金合計額および周遊券マスタデータベース１１から取得される周遊券料金に基づく通行料金合計額をそれぞれ計算すると共に、計算された通行料金合計額を比較し、低額な方の通行料金合計額をＥＴＣカードに対する課金金額として確定するプログラムである。また、課金処理部１５４は、利用情報判定フラグが定期券の適用区間への該当を示す場合には、通行区間について通行料金に基づく通行料金合計額および定期券料金に基づく通行料金合計額をそれぞれ計算すると共に、計算された通行料金合計額を比較し、低額な方の通行料金合計額をＥＴＣカードに対する課金金額として確定する。
【００２７】
利用状況表示要求受付部１５５は、クライアント端末２から現時点における有料自動車道の利用状況の表示要求をＥＴＣカード番号と共に受付けるプログラムである。
【００２８】
また、利用状況表示要求受付部１５５において表示要求が受付けられると、課金処理部１５４は、受付けたＥＴＣカード番号に基づいて利用明細情報データベース１３から現時点における利用明細情報を取得し、利用情報判定フラグが周遊券の適用区間への該当を示す場合には、通行区間について通行料金に基づく通行料金合計額および周遊券マスタデータベース１１から取得される周遊券料金に基づく通行料金合計額をそれぞれ計算する。また、課金処理部１５４は、利用情報判定フラグが定期券の適用区間への該当を示す場合には、通行区間について通行料金に基づく通行料金合計額および定期券料金に基づく通行料金合計額をそれぞれ計算する。そして、課金処理部１５４は、現時点における各通行料金合計額を比較し、低額な方の通行料金合計額をＥＴＣカードに対する現時点における課金対象情報として確定し、後述する利用状況参照画面表示部１５６へ出力する。
【００２９】
利用状況参照画面表示部１５６は、課金処理部１５４から出力された現時点における課金対象情報に基づいて利用状況参照画面を作成し、クライアント端末２へ表示させるプログラムである。
【００３０】
以下、本実施形態に係る通行料金計算システム１の動作を図面に基づいて説明する。  
＜周遊券・定期券の申請受付処理＞  
図６は、図１に示す申請受付装置１４における周遊券・定期券の申請受付処理の具体例を示すフローチャートである。  
Ｓ６０１において、申請情報受付部１４１は、周遊券・定期券の申請を希望するユーザがクライアント端末２より行った周遊券・定期券申請受付画面の表示要求を取得する。
【００３１】
Ｓ６０２において、申請情報受付部１４１は、周遊券・定期券申請受付画面の表示要求に基づいてクライアント端末２へ周遊券・定期券申請受付画面を出力し、表示させる。図７は、図１に示す申請情報受付部１４１がクライアント端末２に出力する周遊券・定期券申請受付画面の具体例を示す図であり、各種の個人情報、車両情報、ＥＴＣカード情報が入力されると共に、申込種別として周遊券が選択される場合が示されている。
【００３２】
Ｓ６０３において、申請情報受付部１４１は、周遊券・定期券申請受付画面において入力された申請情報を取得する。周遊券の申請情報には周遊券ＩＤ、定期券の申請情報には定期券区間が含まれる。
【００３３】
Ｓ６０４において、申請情報登録部１４２は、取得された申請情報を申請情報データベース１２へ登録する。周遊券の申請情報を申請情報データベース１２に新規登録する場合には、周遊券ＩＤをキーに周遊券マスタデータベース１１から取得されている周遊券料金が周遊券ＩＤと共に申請情報データベース１２に保存されるものとする。  
Ｓ６０５において、申請情報登録部１４２は、申請情報の登録に伴うデポジット料金を請求処理システム４へ送信し、処理を終了する。
【００３４】
＜利用明細情報の登録処理＞  
図８は、図１に示す課金処理装置１５における利用明細情報の登録処理の具体例を示すフローチャートである。  
Ｓ８０１において、利用情報取得部１５１は、料金所サーバ３より所定の周期またはＥＴＣ車両の通行毎に送信される利用情報を取得する。図９は、有料自動車道の利用区間と通行料金の関係を説明する図である。ここでは、ＥＴＣ車両がＩＣ−００１を入口インターチェンジとして矢印の方向に走行し、周遊区間内のインターチェンジであるＩＣ−００５を通過し、同じ周遊区間内のＩＣ−０１５を出口インターチェンジとして利用する場合が示されている。また、ＩＣ−００１〜ＩＣ−００５間は周遊区間外のため通常の通行料金である￥１５００が課金対象とされ、ＩＣ−００５〜ＩＣ−０１５間は周遊区間内のため通常の通行料金の通行回数に応じた合計額または周遊券料金が課金対象となることが示されている。図１０は、図１に示す利用情報取得部１５１において取得される利用情報の具体例を示す図であり、データ例は図９の通行に対してＩＣ−０１５の料金所サーバ３から取得される利用情報を示している。
【００３５】
Ｓ８０２において、利用情報判定部１５２は、利用情報に含まれるＥＴＣカード番号をキーに申請情報データベース１２を参照して申請情報を取得し、この申請情報が周遊券の申請情報の場合（申請種別＝０）には更に周遊券ＩＤをキーに周遊マスタデータベースを参照して周遊券の適用区間を取得する。尚、本実施形態では、定期券の申請情報の場合（申請種別＝１）には、定期券の適用区間が申請情報データベース１２に格納されているので周遊マスタデータベースを参照する必要はない。
【００３６】
Ｓ８０３において、利用情報判定部１５２は、利用情報に含まれる利用区間（通行区間）が周遊券や定期券の適用区間に該当するか否かを判定する。ここで、周遊券の適用区間に該当すると判定された場合には“１”を利用区間判定フラグに設定（Ｓ８０４）、定期券の適用区間に該当すると判定された場合には“２”を利用区間判定フラグに設定（Ｓ８０５）、いずれにも該当しないと判定された場合には“０”を利用区間判定フラグの値として設定（Ｓ８０６）し、Ｓ８０７へ進む。
【００３７】
Ｓ８０７において、利用明細情報登録部１５３は、Ｓ８０１において取得された利用情報を利用区間判定フラグと共に利用明細情報として利用明細情報データベース１３に登録し、処理を終了する。
【００３８】
＜利用状況の表示処理＞  
図１１は、図１に示す課金処理装置１５における利用状況参照画面の表示処理の具体例を示すフローチャートである。  
Ｓ１１０１において、利用状況表示要求受付部１５５は、クライアント端末２から送信された現時点における有料自動車道の利用状況の表示要求を取得する。
【００３９】
Ｓ１１０２において、利用状況表示要求受付部１５５は、表示要求に含まれるＥＴＣカード番号を課金処理部１５４へ送信し、現時点での利用明細情報、通行料金の合計額および課金対象情報の取得要求を行う。この取得要求に伴い、課金処理部１５４では現時点での通行料金が計算され、この計算結果に応じて現時点での課金処理が行われる。この処理の詳細については後述する。
【００４０】
Ｓ１１０３において、利用状況参照画面表示部１５６は、課金処理部１５４から現時点での利用明細情報、通行料金の合計額および課金対象情報を取得する。  
Ｓ１１０４において、利用状況参照画面表示部１５６は、Ｓ１１０３において取得された情報に基づいて利用状況参照画面を作成し、クライアント端末２へ送信して表示させ、処理を終了する。図１２は、利用状況参照画面の具体例を示す図であり、通常の通行料金の合計金額に比べて周遊券を適用した場合の料金の方が低額であるため、現時点での課金対象として￥１１５００円が選択されることが示されている。
【００４１】
＜課金処理＞  
図１３は、図１に示す課金処理装置１５における課金処理の具体例を示すフローチャートである。この処理は、ＥＴＣ車両の通行毎、毎月のＥＴＣクレジットカードの請求額確定日など所定の周期、あるいは、利用状況の表示要求があった場合など様々なタイミングで行われるものとする。
【００４２】
Ｓ１３０１において、課金処理部１５４は、通行利用明細情報データベース１３から利用明細情報を取得する。  
Ｓ１３０２において、課金処理部１５４は、取得された利用明細情報をＥＴＣカード番号に基づいて分類すると共に、カード単位で利用明細情報に含まれる通行料金を合計する。
【００４３】
Ｓ１３０３において、課金処理部１５４は、取得された利用明細情報に含まれる利用情報判定フラグに基づいて周遊券・定期券の申請区間に係る明細が存在するか否かを判定する。ここで、該当する利用明細情報が存在すると判定された場合には、Ｓ１３０４へ進む。これに対し、該当する利用明細情報が存在しないと判定された場合には、Ｓ１３０７へ進む。
【００４４】
Ｓ１３０４において、課金処理部１５４は、周遊券・定期券の申請区間に係る明細に含まれる通行料金の合計額（以下、この合計額を「合計額Ａ」と表す。）を計算する。  
Ｓ１３０５において、課金処理部１５４は、合計額Ａが周遊券・定期券料金より高いか否かを判定する。ここで、合計額Ａが周遊券・定期券料金以上と判定された場合には、Ｓ１３０６へ進む。これに対し、合計額Ａが周遊券・定期券料金未満と判定された場合には、Ｓ１３０７へ進む。
【００４５】
Ｓ１３０６において、課金処理部１５４は、｛課金対象＝“周遊・定期”，課金金額＝周遊券・定期券料金＋申請区間外の通行料金の合計額−デポジット料金｝とする課金対象情報を作成する。  
Ｓ１３０７において、課金処理部１５４は、課金処理部１５４は、｛課金対象＝“通常”，課金金額＝通行料金の合計額｝とする課金対象情報を作成する。
【００４６】
Ｓ１３０８において、課金処理部１５４は、利用状況表示要求の有無に基づいて課金処理の確定時か否かを判定する。ここで、利用状況の表示要求が無く、課金金額の確定時であると判定された場合には、Ｓ１３０９へ進む。これに対し、利用状況の表示要求が有り、課金金額の確定時ではないと判定された場合には、Ｓ１３１０へ進む。
【００４７】
Ｓ１３０９において、課金処理部１５４は、Ｓ１３０７またはＳ１３０８において作成された課金対象情報の課金金額をクレジットカード会社の請求処理システム４に送信し、処理を終了する。  
Ｓ１３１０において、課金処理部１５４は、利用状況参照画面表示部１５６へ課金対象情報を出力し、クライアント端末２へ表示させ、処理を終了する。
【００４８】
このように、本実施形態に係る通行料金計算システム１によれば、下記の効果が奏される。  
（１）通常の通行料金による課金金額と周遊券・定期券を利用した際の課金金額を比較する事で、利用者はより適正な（割安な）料金での利用が可能となる。  
（２）申請受付装置１４と課金処理装置１５の間で情報を共有する事により周遊券・定期券での利用実績をタイムリーにＷＥＢ上で確認する事ができる。  
（３）周遊券マスタデータベース１１と申請情報データベース１２を設けることにより、突発的に発生する周遊券のキャンペーン等の導入を容易に行う事ができる。また、周遊券・定期券を購入した事によるポイントの付与も容易に行える。  
（４）申請受付装置１４と課金処理装置１５を同システム内で組み合わせることにより、個人情報を一括して管理する事が可能となる。すなわち、各地の料金所サーバ３へ個人情報を送信する必要がなくなるため、情報漏洩のリスクを軽減できる。
【００４９】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。また、有料自動車道以外にも応用可能である。例えば、周遊券や定期券を購入して鉄道を利用する場合でも、同様の仕組みで課金処理を行うことができる。
【符号の説明】
【００５０】
１…通行料金計算システム、
２…クライアント端末、
３…料金所サーバ、
４…請求処理システム、
１１…周遊券マスタデータベース、
１２…申請情報データベース、
１３…利用明細情報データベース、
１４…申請受付装置、
１５…課金処理装置、
５１…ＣＰＵ、
５２…ＲＯＭ、
５３…ＲＡＭ、
５４…入出力インターフェース、
５５…システムバス、
５６…入力装置、
５７…表示装置、
５８…補助記憶装置、
５９…通信装置、
１４１…申請情報受付部、
１４２…申請情報登録部
１５１…利用情報取得部、
１５２…利用情報判定部、
１５３…利用明細情報登録部、
１５４…課金処理部、
１５５…利用状況表示要求受付部、
１５６…利用状況参照画面表示部。
【図１】
2010257119.tif 000003
【図２】
2010257119.tif 000004
【図３】
2010257119.tif 000005
【図４】
2010257119.tif 000006
【図５】
2010257119.tif 000007
【図６】
2010257119.tif 000008
【図８】
2010257119.tif 000009
【図９】
2010257119.tif 000010
【図１０】
2010257119.tif 000011
【図１１】
2010257119.tif 000012
【図１３】
2010257119.tif 000013
【図７】
2010257119.tif 000014
【図１２】
2010257119.tif 000015